(57)【特許請求の範囲】
【請求項１】
景品を載置して移動するプレイフィールドと、
上記プレイフィールドの上方で回動するスイングアームとを備えたプライズマシンであって、
上記スイングアームには、このスイングアームに沿って移動する移動体と、
上記移動体から上記プレイフィールドに向かって吊り下がり、上記景品と接触しつつ上記スイングアームに沿って当該景品を押すことが可能なプッシャーとが設けられるとともに、
前記プレイフィールドは平面円形で、かつ、その中心の回りを回転するように形成されているとともに、その回転中心部分に、前記プッシャーにより押された景品が落下可能な落下口が設けられていることを特徴とするプライズマシン。
【請求項２】
前記プッシャーは、前記移動体の移動方向に対して回動軸を中心に前後に回動可能に形成されているとともに、
当該移動体には、
当該移動体が前記落下口の方向へ移動する際に、前記景品との接触による当該プッシャーの回動を妨げ、かつ、
当該移動体が前記落下口の反対方向へ移動する際に、前記景品との接触による当該プッシャーの回動は妨げない規制手段が設けられることを特徴とする請求項１記載のプライズマシン。
【請求項３】
前記プッシャーは、前記移動体の移動方向に対して回動軸を中心に左右に回動可能に形成されているとともに、
当該移動体には、
当該移動体が前記落下口の方向へ移動する際に、前記景品との接触による当該プッシャーの回動を妨げる規制手段と、
当該移動体が前記落下口の反対方向へ移動する際に、当該プッシャーを前記景品と接触しない位置まで挙上させる挙上手段とが設けられることを特徴とする請求項１記載のプライズマシン。
【請求項４】
前記スイングアームには、その長手方向に沿って上下２段のレールと、これらのレールを、両端で連絡する連絡手段とが設けられるとともに、
前記上段のレールは、前記長手方向の両端の一部を欠くことで下段のレールより短く形成され、
前記連絡手段として、上記レールの前記落下口側に、上段のレール側に回動軸を有するとともに、その自由端が下段のレールに接触するフラップが設けられ、
前記規制手段として、
前記移動体には、
前記プッシャーの回動軸を中心とした所定の中心角の円弧状を呈するガイド溝と、
前記プッシャーが垂直位置にある際の上端を、前記落下口の方向に対して左右のいずれか一方へ引きつけるスプリングとが設けられ、及び、
前記プッシャーには、
上記ガイド溝に沿って移動するガイドピンが設けられるとともに、
前記挙上手段として、前記移動体には、前記プッシャーが垂直位置にある際の上端を前記スプリングの引きつけ方向とは反対方向に引っ張るワイヤーと、前記移動体の移動方向に対して回動軸を中心に前後方向に回動可能で、かつ、一端に前記レールに接触するタイヤが設けられるタイヤ板と、該タイヤ板と連動して前後方向に回動可能で、かつ、一端に前記ワイヤーが連結されるワイヤー板とが設けられ、
前記移動体が落下口方向へ移動する際には、前記タイヤは下段のレールに接しつつ前記フラップを押し上げてその下を通過し、その間、該ワイヤーが引っ張られない位置に前記タイヤ板及び前記ワイヤー板があり、それにより該ワイヤーが引っ張られずに、前記スプリングの引きつけにより当該プッシャーが垂直位置を保ち、かつ、
前記移動体が前記落下口の反対方向へ移動する際には、上記タイヤは上記フラップを乗り越えて上段のレールへ移動することで、上記タイヤ板及び上記ワイヤー板が前記落下口側へ回動して上記ワイヤーが引っ張られることで前記プッシャーが水平となることを特徴とする請求項３記載のプライズマシン。
【発明の詳細な説明】
【０００１】
【発明の属する技術分野】
本発明は、いわゆるプライズマシンと称する景品払出遊技機のうち、景品自体が遊技の対象となるものに関する。
【０００２】
【従来の技術】
従来、遊技者の操作によって景品を払い出す、いわゆるプライズマシンと称する遊技機が種々提供されていた。
このようなプライズマシンは、遊技の結果によって、景品を払い出すか否かが決定されるものである。そして、その遊技は、景品自体は遊技の対象とならないものと、景品自体を遊技の対象とするものとに大別される。
【０００３】
前者の例としては、たとえば、遊技者に、グー、チョキ及びパーに対応する３個のボタンの１個を押圧させることで遊技機とジャンケンを行わせ、遊技者が勝った場合に景品を払い出すものがある。また、複数個のランプを設けた遊技機において、ランプの点滅の移動を、ストップボタンの押圧などにより遊技者に停止させ、所定の当たりランプの位置で停止した場合にに景品を払い出すものがある。これらの遊技に共通するのは、遊技自体は景品とは無関係であることである。
【０００４】
一方、後者の例としては、人形などの景品をクレーン等で吊り上げ、これを所定の位置まで移動させることで景品を獲得させるようなものがある。
また、後者の別の例として、プレイフィールド上を移動する景品を、遊技者から見て左右方向及び前後方向に直線移動可能な移動体によって所定の落下口まで移動せしめることで、当該景品の獲得を図るようなものも存在する。このようなプライズマシンに対し、遊技性の観点から、直線移動以外のアクションが可能なものが望まれていた。
【０００５】
【発明が解決しようとする課題】
そこで本願発明者らは、このようなプライズマシンにおける移動体として、回動するスイングアームの長手方向に沿って、上記の落下口まで移動するようなものを考えた。
ところで、このような移動体は、落下口まで移動すると、再び元の位置へ戻ることで次回の遊技に備えるように形成されているのが通常である。ところが、このような移動体は機能上景品と接触するように形成されているため、元の位置に戻る際にも景品と接触することで、景品を破壊したり、移動体自身が景品に引っかかって不具合を生ずることも考えられる。
【０００６】
これを防ぐために、移動体が直接景品と触れる部分を可動式とすることも考えられる。しかし、景品を移動させるという本来の機能を確保するため、かかる接触部分は景品と当接しても容易に動かないように形成する必要がある。
そこで本発明は、プライズマシンのスイングアームにおいて、景品を移動させる移動体が移動を終えて元の位置に戻るときに景品と接触することと防ぐとともに、景品を移動させる際にはその接触部分が容易に動かないようにすることを目的とする。
【０００７】
【課題を解決するための手段】
（第１の発明）
上記の課題に鑑み、本発明のうち第１の発明は、景品47を載置して移動するプレイフィールド40と、上記プレイフィールド40の上方で回動するスイングアーム50とを備えたプライズマシン10であって、上記スイングアーム50には、このスイングアーム50に沿って移動する移動体70と、上記移動体70から上記プレイフィールド40に向かって吊り下がり、上記景品47と接触しつつ上記スイングアーム50に沿って当該景品47を押すことが可能なプッシャー95とが設けられることを特徴とする。
【０００８】
「プライズマシン」とは、所定の遊技を遊技者に行わせる遊技機であって、その遊技が所定の結果を収めたときに景品47を払い出すようなものをいう。また、本発明に係るプライズマシン10においては、景品47自体が遊技の対象となっている。
「プレイフィールド」とは、プライズマシン10において、景品47を載置して移動するものをいう。また、この移動の方法は、プレイフィールド40の形状に応じて様々なものが可能である。たとえば、平面形状が円形のプレイフィールド40の場合は、その中心の回りを回転するような移動方法が可能である。また、プレイフィールド40が、プライズマシン10の筐体内で循環するベルトコンベアである場合には、曲線状の移動方法も可能であるし、また、一部において直線状の移動も可能である。
【０００９】
「スイングアーム」とは、所定の回動軸を中心に回動する腕状の部材をいう。ここで、この腕状の部材の形状は、真っ直ぐであることが望ましいが、湾曲した形状であってもかまわない。いずれにしてもこのスイングアーム50は、上記プレイフィールド40とは直接には接触せずに回動することとなっている。ここで、このスイングアーム50の回動は、遊技者によって操作されるものであっても、また、遊技者の操作とは無関係に行われるものであっても、いずれでもよい。更に、このスイングアーム50の駆動機構は、たとえば、回動軸側に設けられるものであっても、また、回動端側に設けられるものであっても、いずれでもよく特に限定されるものではない。
【００１０】
「移動体」とは、上記スイングアーム50に沿って移動可能に形成されている部材をいう。ここでこの移動体70移動方法としては、様々なものが可能である。たとえば、スイングアーム50にレールを設けるとともに、移動体70自体にモーターを内蔵して、タイヤ等によりこのレール等に沿って自走させるような機構が可能である。また、スイングアーム50の両端にプーリーを設け、これらをベルトで連結し、プーリーをモーターによって回転させることで、ベルトを動かすような機構も、この移動方法として採用することができる。
【００１１】
「プッシャー」とは、プレイフィールド40に向かって吊り下げるようにして上記移動体70に設けられ、景品47と直接接触する部材である。また、このプッシャー95はプレイフィールド40には直接接触しない。
上記構成により、プレイフィールド40の移動に従って移動する景品47を、スイングアーム50の回動と、移動体70の移動とが複合されたアクションによって押し出すことで当該景品47を獲得するような遊技が可能なプライズマシン10を提供することが可能となる。
【００１２】
（第２の発明）
第１の発明においては、プレイフィールド40の形状については特に限定がなく、また、景品47の取得方法についても特に限定はない。
ここで、本発明のうち第２の発明は、第１の発明の特徴に加え、前記プレイフィールド40は平面円形で、かつ、その中心の回りを回転するように形成されているとともに、その回転中心部分に、前記プッシャー95により押された景品47が落下可能な落下口43が設けられていることを特徴とする。
【００１３】
すなわち、本第２の発明においては、プレイフィールド40の形状を平面円形に限定し、かつその移動方法を、その中心の回りの回転と限定した。更に、景品47獲得のための移動方向を、プレイフィールド40の中心方向に限定した。
そして、スイングアーム50の回動及び移動体70の移動に伴い、プッシャー95によって押し付けられた景品47がこの「落下口」へ至ると、そこからたとえば払出口へと移送され、当該景品47は遊技者へ払い出されることとなる。
【００１４】
（第３の発明）
更に、本発明のうち第３の発明は、第２の発明の特徴に加え、前記プッシャー95は、前記移動体70の移動方向に対して回動軸を中心に前後に回動可能に形成されているとともに、当該移動体70には、当該移動体70が前記落下口43の方向へ移動する際に、前記景品47との接触による当該プッシャー95の回動を妨げ、かつ、当該移動体70が前記落下口43の反対方向へ移動する際に、前記景品47との接触による当該プッシャー95の回動は妨げない規制手段が設けられることを特徴とする。
【００１５】
すなわち、移動体70から吊り下げられているプッシャー95は、移動体70の移動方向に対して、回動軸を中心に前後に回動可能となっている。しかし、この回動は、当該移動体70が落下口43方向へ移動している間は、「規制手段」によって規制されることとなっている。
この規制手段として、たとえば、プッシャー95の回動軸より下方で、かつプッシャー95の反落下口43側に、この回動軸と平行な横棒あるいは横板を設けることができる。そして、景品47から受ける反作用によるプッシャー95の反落下口43側への回動が、この規制手段に当接することによって妨げられることになる。
【００１６】
一方、上記規制手段は、落下口43側への回動は妨げない。したがって、落下口43まで移動した移動体70が元の位置へ戻る際に、プッシャー95が景品47と接触することがあっても、プッシャー95は上方に回動することで、反落下口43側への景品47の押し付けを避けることができる。
（第４の発明）
また、本発明のうち第４の発明は、第２の発明の特徴に加え、前記プッシャー95は、前記移動体70の移動方向に対して回動軸を中心に左右に回動可能に形成されているとともに、当該移動体70には、当該移動体70が前記落下口43の方向へ移動する際に、前記景品47との接触による当該プッシャー95の回動を妨げる規制手段と、当該移動体70が前記落下口43の反対方向へ移動する際に、当該プッシャー95を前記景品47と接触しない位置まで挙上させる挙上手段とが設けられることを特徴とする。
【００１７】
すなわち、移動体70から吊り下げられているプッシャー95は、移動体70の移動方向に対して、回動軸を中心に左右に回動可能となっている。しかし、この回動は、当該移動体70が落下口43方向へ移動している間は、「規制手段」によって規制されることとなっている。
この規制手段として、たとえば、プッシャー95の回動軸より下方で、かつプッシャー95の左側に、この回動軸と平行な横棒あるいは横板を設けることができる。そして、景品47から受ける反作用によるプッシャー95の左方への回動が、この規制手段に当接することによって妨げられることになる。
【００１８】
加えてこの規制手段として、たとえば、プッシャー95の上端を右方から引きつけるスプリングを設けることができる。そして、景品47から受ける反作用によるプッシャー95の右方への回動が、このスプリングの復元力によって妨げられることになる。
また、落下口43まで移動した移動体70が元の位置へ戻る際には、「挙上手段」によってプッシャー95が上方に挙上される。これにより、プッシャー95が景品47と接触しないこととなる。
【００１９】
この挙上手段として、たとえば、プッシャー95の上端を、上記スプリングとは反対方向から引っ張ることの可能なワイヤーを設けることができる。そして、移動体70が元の位置に戻る際に、このワイヤーが引っ張られるように形成することで、この挙上手段は、上記スプリングの抵抗に抗してプッシャー95を挙上することが可能となる。
【００２０】
（第５の発明）
更に、本発明のうち第５の発明は、第４の発明の特徴に加え、前記規制手段として、前記移動体70には、前記プッシャー95の回動軸を中心とした所定の中心角の円弧状を呈するガイド溝92と、前記プッシャー95が垂直位置にある際の上端を、前記落下口43の方向に対して左右のいずれか一方へ引きつけるスプリング93とが設けられ、及び、前記プッシャー95には、上記ガイド溝92に沿って移動するガイドピン96が設けられるとともに、前記挙上手段として、前記移動体70には、前記プッシャー95が垂直位置にある際の上端を反スプリング93方向に引っ張るワイヤー86とが設けられ、前記移動体70が前記落下口43の反対方向へ移動する際には、上記ワイヤー86が引っ張られることで前記プッシャー95が水平となり、かつ、前記移動体70が前記落下口43の方向へ移動する際には、当該ワイヤー86が引っ張られずに、前記スプリング93の引きつけにより当該プッシャー95が垂直位置を保つことを特徴とする。
【００２１】
本第５の発明に係るプライズマシン10は、「規制手段」及び「挙上手段」の機構を技術的に限定したものである。「ガイド溝」は、規制手段の一部として移動体70に設けられる。たとえば、回動軸の上方から右方にかけて設けられる円弧状の溝をもってこのガイド溝92とすることができる。
【００２２】
「ガイドピン」は、規制手段の一部としてプッシャー95に設けられる。たとえば、上記のようなガイド溝92に対して嵌合するように、プッシャー95の回動軸より上方で突出する突起をもってこのガイドピン96とすることができる。これにより、景品47から受ける反作用によるプッシャー95の左方への回動が、ガイドピン96がガイド溝92の上端縁に当接することによって妨げられることになる。
【００２３】
「スプリング」は、規制手段の一部として、プッシャー95の上端を、たとえば右方から引きつけるようにして移動体70内に設けられる。そして、景品47から受ける反作用によるプッシャー95の右方への回動が、このスプリング93の復元力によって妨げられることになる。
「ワイヤー」は、挙上手段の一部として、プッシャー95の上端を、上記スプリング93とは反対方向から引っ張ることが可能なようにして移動体70内に設けられる。たとえば、スプリング93が上述のように設けられる場合には、ワイヤー86はプッシャー95の上端を左方から引っ張ることができるように設けられることになる。そして、移動体70が元の位置に戻る際にワイヤー86が引っ張られると、プッシャー95の上端は左方へ回動し、同時にプッシャー95の下端、すなわち景品47と接触する部分は右方に回動して挙上される。これにより、移動体70が戻る際のプッシャー95と景品47との接触が避けられることとなっている。
【００２４】
（第６の発明）
加えて、本発明のうち第６の発明は、第５の発明の特徴に加え、前記スイングアーム50には、その長手方向に沿って上下２段のレールと、これらのレールを、両端で連絡する連絡手段とが設けられるとともに、前記挙上手段として、前後方向に回動可能で、かつ、一端に上記レールに接触するタイヤ84が設けられるタイヤ板83と、上記タイヤ板83と連動して前後方向に回動可能で、かつ、一端に前記ワイヤー86が連結されるワイヤー板85とが設けられ、前記移動体70が落下口43方向へ移動する際には、上記タイヤ84は下段のレールに接し、当該ワイヤー86が引っ張られない位置に上記タイヤ板83及び上記ワイヤー板85があり、前記移動体70が前記落下口43の反対方向へ移動する際には、上記タイヤ84は上記連絡手段を経て上段のレールへ移動することで、上記タイヤ板83及び上記ワイヤー板85が回動して当該ワイヤー86が引っ張られることを特徴とする。
【００２５】
「タイヤ板」と「ワイヤー板」とは、たとえば回動軸を共有することによって、連動して前後方向に回動可能となっている。
タイヤ板83の回動端には、下記のレールと接触するタイヤ84が設けられる。また、ワイヤー板85の回動端には、一端が前記プッシャー95の上端に連結されているワイヤー86のもう一端が連結されている。すなわち、ワイヤー板85とプッシャー95とは、ワイヤー86で連結されることとなっている。
【００２６】
「レール」は、上記のタイヤ84が接触して転がることが可能となっている。このレールは上述のように上下２段となっており、その両端は「連絡手段」によって連絡する。
たとえば、上段のレールは下段のレールより両端で短く形成されていることとする。この場合に、上段のレールの、落下口43側の先端付近に回動軸を有し、先端が下段のレールと接触するような回動板を、この連絡手段として設けることができる。
【００２７】
そして、移動体70が落下口43方向へ移動する際には、タイヤ84は下段のレールに接触することで、タイヤ板83及びワイヤー板85は、ワイヤー86が引っ張られない位置にあることとなっている。
また、移動体70が反落下口43方向へ移動する際には、タイヤ84は上記連絡手段を乗り越えて、上段のレールへ移動する。これにより、タイヤ板83が回動する。これに伴い、ワイヤー板85も回動することで、ワイヤー86が引っ張られることとなる。これにより、上述の通りプッシャー95が挙上されることとなっている。
【００２８】
そして、移動体70が上段のレールの反落下口43側の先端に至ると、上述のように上段のレールは下段のレールより短いため、タイヤ84は下段のレールへ落下する。これにより、ワイヤー86の引っ張りが解かれ、プッシャー95は前記スプリング93の復元力により、吊り下げ位置にまで復帰することとなる。
【００２９】
【発明の実施の形態】
以下、図面を参照しつつ、本発明の一の実施の形態について説明する。
（プライズマシン外観）
図１は、本実施の形態に係るプライズマシン10の外観を示す上方斜視図である。
【００３０】
プライズマシン10の筐体11は、平面略円形である。筐体11は円周方向に六等分され、その各々が遊技ゾーン20となっている。その各々に操作パネル21、コインスロット25及び払出口26が設けられている。操作パネル21には、スタートボタン22、左ボタン23及び右ボタン24が設けられている。したがって、一度に最大６人が遊技可能である。
【００３１】
なお、以下の説明において、前後方向及び左右方向に言及している場合には、遊技ゾーン20に向かって立つ遊技者から見た方向を意味する。また、「手前側」及び「奥側」との表現は、それぞれ遊技者の立つ側及びその反対側を意味する。各遊技ゾーン20の境界には、６本の仕切柱12が設けられている。各仕切柱12は所定の高さまでは垂直で、そこから上方では中央へ向かって傾斜し、その上端で円形の天蓋13を支持している。各仕切柱12間には、透明で開閉可能なカバー14が設けられている。
【００３２】
カバー14を通して、平面円形のプレイフィールド40が視認できる。プレイフィールド40には、中心から辺縁に向かって低くなる傾斜が設けられている。中心には平面円形の落下口43が設けられている。この落下口43は、仕切板44によって各遊技ゾーン20に対応して六等分されている。
プレイフィールド40上には、上面が開放した円筒状の景品キャリア46が多数載置される。この景品キャリア46の中には景品47が収納されている。景品47は、カプセルに入っているものもそうでないものもあるが、これらをまとめて以下「景品」と称する。プレイフィールド40上面は滑らかに形成されており、景品キャリア46には常に周辺方向に滑り落ちる力が架かっている。また、プレイフィールド40辺縁には、景品キャリア46の落下を防止する縁板45が設けられている。
【００３３】
各遊技ゾーン20ごとに、アーム軸51が屋根の下面から下方へ突設される。そして、このアーム軸51に軸支されるスイングアーム50が、プレイフィールド40の辺縁へ向かって延設される。このスイングアーム50は、アーム軸51から辺縁に向かって、プレイフィールド40に平行に位置する長腕部52、この長腕部52の辺縁端から下方へ垂直に伸びる短腕部57、及び、この短腕部57の下端に位置し、下記の支持テーブル30と接触し、アームモーター61を備えたアーム駆動部60とを有する（図２参照）。このアームモーター61は、回転軸を上向きにするように設置され、その回転軸には、所定のピッチを有するピニオンギアであるアームギア62が設置されている（図２参照）。スイングアーム50は、アーム軸51を回動軸としてこれを中心に各遊技ゾーン20の範囲内で左右に回動可能となっている。
【００３４】
更に、スイングアーム50には、右方に突出した移動体70が設けられる。この移動体70は、長腕部52の長手方向に沿って前後方向に移動可能となっている。また、移動体70には、景品キャリア46を押し出すための、先端部分が棒状のプッシャー95が設けられる。プッシャー95は、移動体70下面から、移動体70に対して垂直に突出した位置（以下、「押出位置」とする。）と、移動体70右側面から、移動体70の長手方向と同方向に突出した位置（以下、「挙上位置」とする。）との、二通りの位置の間を回動可能となっている。プッシャー95が押出位置にある状態では、プッシャー95はプレイフィールド40に対して垂直となる。この状態で、プッシャー95の先端は、プレイフィールド40上の景品キャリア46には接するが、プレイフィールド40には接しない。
【００３５】
（駆動機構）
図２は、本実施の形態に係るプライズマシン10の側面断面図である。
プライズマシン10の筐体11内部には、円形の支持テーブル30が設けられている。この支持テーブル30上の数箇所に上向き、かつ、円周方向に回転するようにキャスター31が設けられ、この上に上記プレイフィールド40が載置される。
【００３６】
プレイフィールド40の底面41は、ドーナツ状の平面形状を呈している。この底面41の内縁42には、所定のピッチでラックが刻まれている。このラックは、支持テーブル30に埋設されるテーブルモーター32により回転するピニオンギアであるテーブルギア33と咬み合うように形成されている。すなわち、支持テーブル30に、回転軸を上向きにして埋設されたテーブルモーター32の駆動により、底面41の内縁42に設けられたラックを通じてプレイフィールド40に回転力が伝達される。この際、上記キャスター31によって支持テーブル30との間の摩擦力が低減され、プレイフィールド40は、スムーズに回転する。
【００３７】
更に、支持テーブル30の下方には、ガイド板35が設けられる。このガイド板35の円周上には、前記のアームギア62と咬み合うピッチのラックが刻まれたアームガイド36が設けられている。図３は、このガイド板35を示す平面図である。これとともに、アーム駆動部60は、図２に示すように、支持テーブル30の上面とアームローラー63を介して接触している。すなわち、アーム駆動部60に備えられたアームモーター61の駆動により、アームガイド36に沿ってスイングアーム50が回動する。この際、上記アームローラー63によって支持テーブル30との間の摩擦力が低減され、スイングアーム50はスムーズに回転する。
【００３８】
ここで、アームモーター61の回転軸は、右ボタン24及び左ボタン23のいずれかの押圧により回転する。この回転方向は、右ボタン24が押圧された場合と左ボタン23が押圧された場合とでは互いに逆となっている。
アームガイド36の左端及び右端には、図３に示すように、それぞれ左端ストッパー37及び右端ストッパー38が設けられる。これらにより、スイングアーム50の可動範囲が規制されている。
【００３９】
（レール）
スイングアーム50の長腕部52の正面断面は、図４Ａに示すように、右方が開放したコの字型が、垂直に３個連なった形状を呈している。これらは上から、上段レール53、下段レール54及びガイドレール55として形成されている。下段レール54及びガイドレール55は、長腕部52の全長に渡り形成されている。一方、上段レール53は、長腕部52の前端部分及び後端部分の一部を欠いており、これにより下段レール54より短くなっている。上段レール53前端には、下段レール54と上段レール53との連絡手段として、上段レール53のやや上方に回動軸をもつフラップ56が設けられる（図６参照）。フラップ56の先端は下段レール54に接触している。このフラップ56により、後述のように下段レール54から上段レール53への連絡が可能となる。
【００４０】
長腕部52の前端部分には、図６に示すように、移動体70を駆動する移動体駆動部65の一部として、回転軸を左向きにした移動体モーター66と、これにより回転する前端プーリー67とが設けられる。また、長腕部52の後端部分には、移動体駆動部60の一部として、前端プーリー67と同径の後端プーリー68が設けられる。そして、前端プーリー67と後端プーリー68とは、ベルト69により連結される。この移動体モーター66の回転軸は、正逆方向に回転可能となっている。
【００４１】
（移動体）
図４は、押出位置にある移動体70を正面図（Ａ）、左側面図（Ｂ）及び平面図（Ｃ）で示したものである。なお、以下の説明における移動体70の位置関係は、この押出位置に従って定義されるものとする。
移動体70は、スイングアーム50側に位置する基部80と、右方に突出している突出部90とから成る。
【００４２】
移動体70の基部80には、前記移動体駆動部60のベルト69のうち上側の方に固定される移動体固定部81が設けられる。また、この基部80には、前記ガイドレール55に挿入される挿入部82も設けられる。
移動体70の基部80の内部では、前記プッシャー95の挙上手段の一部であるタイヤ板83と、ワイヤー板85とが、互いの一端を左右方向の連結軸87で連結することにより、この連結軸87を共通の回動軸として連動して回動可能となっている。そして、タイヤ板83のもう一端には、前記の上段レール53及び下段レール54に接触して回転するタイヤ84が設けられる。なお、図４においては、タイヤ84は下段レール54に接触している。一方、ワイヤー板85のもう一端には、プッシャー95の挙上手段たるワイヤー86の一端が接続される。
【００４３】
移動体70の突出部90には、前述のとおりプッシャー95が設けられている。突出部90には前後方向に回動軸たるプッシャー軸91が設けられる。プッシャー95は上端部分でこのプッシャー軸91によって軸支されている。また、突出部90には、プッシャー軸91の上方から左方にかけて、プッシャー95の規制手段として、プッシャー軸91を中心とした中心角９０゜の円弧状のガイド溝92が設けられている。このガイド溝92には、プッシャー95から奥側に突出した、プッシャー95の規制手段たるガイドピン96が嵌合している。このガイド溝92とガイドピン96とによって、プッシャー95の可動範囲が規制されることとなっている。
【００４４】
プッシャー95の上端部分には、押さえ部94がプッシャー95に対して右側から直角に差し込まれている。この押さえ部94の右端には、プッシャー95の規制手段とたるスプリング93の一端が連結している。また、このスプリング93のもう一端は、移動体70の突出部90の右端に連結している。さらに、このスプリング93の、押さえ部94と連結している側の一端には、前記ワイヤー86のもう一端も連結している。すなわち、ワイヤー86は、ワイヤー板85とスプリング93とを連結している。
【００４５】
図４の押出位置においては、タイヤ84が下段レール54に接することで、タイヤ板83のタイヤ84側は手前側に位置している。これに伴い、ワイヤー板85のワイヤー86側も、手前側に位置している（図４Ｂ参照）。この状態では、ワイヤー86はワイヤー板85に引っ張られてはいないので、スプリング93はワイヤー86により伸張されてはいない。これにより、押さえ部94は水平となるため、プッシャー95は移動体70に対して垂直に位置することとなる。
【００４６】
また、押出位置にあるプッシャー95に、左方向への力が加えられても、ガイドピン96がガイド溝92の上端に位置していることで、プッシャー95の左方向への回動が規制されることとなっている。一方、右方向の力が加えられた場合には、スプリング93の抵抗力により、やはりプッシャー95の右方向への回動が規制されることとなっている。
【００４７】
プッシャー95の下端部分には、断面円形の接触部97が形成されており、この部分で景品キャリア46と接触することとなっている。
図５は、挙上位置にある移動体70を正面図（Ａ）、左側面図（Ｂ）及び平面図（Ｃ）で示したものである。
この挙上位置においては、後述のようにタイヤ84が前記フラップ56を経由して上段レール53に移動することで、タイヤ板83のタイヤ84側は奥側へ回動することとなる。これと連動して、ワイヤー板85のワイヤー86側も、奥側へ回動する（図５Ｂ参照）ことで、ワイヤー86はワイヤー板85によって奥方向へ引っ張られる。これにより、スプリング93はワイヤー86により伸張される。したがって、押さえ部94は垂直となるため、プッシャー95は移動体70に対して水平に位置することとなる。これとともに、ガイドピン96がガイド溝92の下端に位置することで、プッシャー95がこの挙上位置より更に上方へ回動することが規制されている。
【００４８】
（遊技説明）
以下、本実施の形態に係るプライズマシン10における遊技を説明する。
まず、遊技が可能な状態においては、プレイフィールド40は、景品キャリア46を載置して常に一定速度をもって回転している。すなわち、テーブルモーター32の回転軸が平面視で時計回りに回転すると、テーブルギア33も同方向に回転する（図２参照）。そして、プレイフィールド40は、底面41の内縁42に設けられたラックにより動力が伝達され、平面視で時計回りに回転する。この回転は、遊技者による操作とは無関係に行われる。
【００４９】
コインスロット25へのコインの投入があると、スタートボタン22の押圧が有効となる。スタートボタン22が押圧されるまでは、スイングアーム50は遊技ゾーン20の左端に位置し（図７）、移動体70はプレイフィールド40の辺縁側に位置している（図６）。この位置を、「初期位置」と称する。初期位置においては、移動体70のタイヤ84は下段レール54に接しており、ワイヤー86は引っ張られていない。このため、押さえ部94はスプリング93により引っ張られて水平を保ち、プッシャー95は移動体70に対して垂直な押出位置にある（図４参照）。
【００５０】
遊技者は、プレイフィールド40の回転に伴って遊技ゾーン20の右方から左方へ流れる景品47を見ながら、所望の景品47を収容した景品キャリア46がプッシャー95に接触するタイミングを見計らって、スタートボタン22を押圧する（図８）。
スタートボタン22が押圧されると、移動体モーター66の回転軸が左方側面視で反時計回りに回転を開始する。この回転に伴って前端プーリー67も同方向に回転し、更にベルト69も同方向に駆動を開始する。そして、移動体固定部81によって上側のベルト69に固定されている移動体70は、スイングアーム50の長腕部52に沿って、中央の落下口43へ向かって一定の速度で移動を開始する。なお、一旦スタートボタン22が押圧されると、遊技者による移動体70の操作は不可能となっている。
【００５１】
ここで、プッシャー95の接触部97は、上述のように、断面円形であるため、接触部97と、円筒状の景品キャリア46とは、線接触をすることになる。加えて、景品キャリア46はプレイフィールド40の回転により左方へ常に流れているため、景品キャリア46には、プッシャー95との接触を逃れようとする力が働くことになる。
【００５２】
これに対して遊技者は、左ボタン23及び右ボタン24を操作しながら、スイングアーム50の位置を操作し、プッシャー95によって景品キャリア46を落下口43まで移動させるよう試みることとなる。
すなわち、図９に示すように、右ボタン24が押圧されると、アームモーター61の回転軸が平面視で反時計回りに回転し、これに伴いアームギア62も同方向に回転する（図３参照）。したがって、図９に示すように、スイングアーム50はアームガイド36に沿って右方向に回動することとなる。ただし、アーム駆動部60が右端ストッパー38に当接すると（図３参照）、スイングアーム50はそれ以上右方向には回動できない。
【００５３】
一方、図１０に示すように、左ボタン23が押圧されると、アームモーター61の回転軸が平面視で時計回りに回転し、これに伴いアームギア62も同方向に回転する（図３参照）。したがって、図１０に示すように、スイングアーム50はアームガイド36に沿って左方向に回動することとなる。ただし、アーム駆動部60が左端ストッパー37に当接すると（図３参照）、スイングアーム50はそれ以上左方向には回動できない。
【００５４】
移動体70が落下口43まで移動する途中で、タイヤ84はフラップ56を押し上げてその下を通過する。すなわち、タイヤ84は、移動体70が落下口43に至るまでの間、常に下段レール54との接触を保つことになる。
このようにして左へ逃げようとする景品キャリア46を、アームの位置を調整しつつ、首尾よく落下口43へ落とし込まれた景品47は、払出口26から遊技者へ払い出される（図１１、図１２）。一方、景品キャリア46が左へ逃げてしまっても、移動体70は落下口43まで移動するが、当然景品47は払い出されない。
【００５５】
移動体70が長腕部52の前端まで至ると、移動体モーター66は回転を停止し、移動体70の移動も停止する（図１１、図１２）。その直後、移動体モーター66の回転軸が左方側面視で時計回りに回転を開始する。この回転に伴って前端プーリー67も同方向に回転し、更にベルト69も同方向に駆動を開始する。そして、移動体固定部81によって上側のベルト69に固定されている移動体70は、スイングアーム50の長腕部52に沿って、プレイフィールド40の辺縁へ向かって一定の速度で移動を開始する。同時に、スイングアーム50は、移動体70の移動の停止時点で移動体駆動部60が左端ストッパー37に当接している場合を除き、移動体駆動部60が左端ストッパー37に当接するまで左方に回動する。すなわち、移動体70は初期位置へ復帰することとなる。
移動体70が初期位置へ向かう途中で、タイヤ84はフラップ56を乗り越え、上段レール53へ移動する（図１３）。これにより、タイヤ板83が奥側へ回動し、ワイヤー板85もこれに連動して奥側へ回動する。これによってワイヤー86が引っ張られ、スプリング93が伸張する。これに伴い、押さえ部94が下方へ回動し、これに押し付けられたプッシャー95は、右上方へ回動して、挙上位置へ至る（図５参照）。
【００５６】
すなわち、移動体70が初期位置へ復帰するまでは、図１４に示すように、プッシャー95を挙上位置に保ったまま移動を続けることとなる。これによって、移動体70が初期位置へ復帰する際に、プッシャー95と景品キャリア46との接触を避けることができる。
移動体70が初期位置に復帰すると、タイヤ84は上段レール53から下段レール54へ落下する（図６参照）。これによってタイヤ板83は手前側へ回動し、ワイヤー板85もこれに連動して手前側へ回動する。これによってワイヤー86の張力が解かれ、スプリング93は復元する。これに伴い、押さえ部94が上方へ回動し、プッシャー95も下方へ回動して、元の押出位置へ復帰することとなる（図７）。
【００５７】
（その他の実施の形態）
上述の操作パネル21には、スイングアーム50の回動を遊技者が操作する手段として左ボタン23及び右ボタン24が設けられている。ここで、それらの代わりに、たとえばジョイスティックを同様の手段として設けることができる。この場合は、遊技者がジョイスティックを右に傾けたときには、アームモーター61の回転軸が反時計回りに回転し、また、ジョイスティックを左に傾けたときには、アームモーター61の回転軸が時計回りに回転することとすれば、上述の実施の形態と同様の作用効果が得られることとなる。
【００５８】
【発明の効果】
本発明は、上述のように構成されているので、以下に記す効果を奏する。
すなわち、プライズマシンのスイングアームにおいて、景品を移動させる移動体が移動を終えて元の位置に戻るときに景品と接触することと防ぐとともに、景品を移動させる際にはその接触部分が容易に動かないようにすることが可能となる。
【図面の簡単な説明】
【図１】本発明の一の実施の形態に係るプライズマシンの外観を示す上方斜視図である。
【図２】本発明の一の実施の形態に係るプライズマシンにおける、支持テーブルとプレイフィールドとの位置関係及びスイングアームと支持テーブルとの位置関係を示す側面断面図である。
【図３】本発明の一の実施の形態に係るプライズマシンにおける、ガイド板の形状を示す平面図である。
【図４】本発明の一の実施の形態に係るプライズマシンに移動体において、プッシャーが押出位置にある場合を、正面図（Ａ）、左側面図（Ｂ）及び平面図で示したものである。
【図５】本発明の一の実施の形態に係るプライズマシンに移動体において、プッシャーが挙上位置にある場合を、正面図（Ａ）、左側面図（Ｂ）及び平面図で示したものである。
【図６】本発明の一の実施の形態に係るプライズマシンにおいて、移動体の移動開始前の状態を示す左側面図である。
【図７】本発明の一の実施の形態に係るプライズマシンにおいて、移動体の移動開始前の状態を示す上方斜視図である。
【図８】本発明の一の実施の形態に係るプライズマシンにおいて、スタートボタンが押圧された状態を示す上方斜視図である。
【図９】本発明の一の実施の形態に係るプライズマシンにおいて、右ボタンが押圧された状態を示す上方斜視図である。
【図１０】本発明の一の実施の形態に係るプライズマシンにおいて、左ボタンが押圧された状態を示す上方斜視図である。
【図１１】本発明の一の実施の形態に係るプライズマシンにおいて、移動体の移動が一旦停止した状態を示す左側面図である。
【図１２】本発明の一の実施の形態に係るプライズマシンにおいて、移動体の移動が一旦停止した状態を示す上方斜視図である。
【図１３】本発明の一の実施の形態に係るプライズマシンにおいて、移動体が初期位置へ戻る途中の状態を示す左側面図である。
【図１４】本発明の一の実施の形態に係るプライズマシンにおいて、移動体が初期位置へ戻る途中の状態を示す上方斜視図である。
【符号の説明】
10  プライズマシン
11  筐体                  12  仕切柱
13  天蓋                  14  カバー
20  遊技ゾーン
21  操作パネル            22  スタートボタン
23  左ボタン              24  右ボタン
25  コインスロット        26  払出口
30  支持テーブル
31  キャスター            32  テーブルモーター
33  テーブルギア
35  ガイド板              36  アームガイド
37  左端ストッパー        38  右端ストッパー
40  プレイフィールド
41  底面                  42  内縁
43  落下口                44  仕切板
45  縁板
46  景品キャリア          47  景品
50  スイングアーム
51  アーム軸              52  長腕部
53  上段レール            54  下段レール
55  ガイドレール          56  フラップ
57  短腕部
60  アーム駆動部
61  アームモーター        62  アームギア
63  アームローラー
65  移動体駆動部
66  移動体モーター        67  前端プーリー
68  後端プーリー          69  ベルト
70  移動体
80  基部
81  移動体固定部          82  挿入部
83  タイヤ板              84  タイヤ
85  ワイヤー板            86  ワイヤー
87  連結軸
90  突出部
91  プッシャー軸          92  ガイド溝
93  スプリング            94  押さえ部
95  プッシャー
96  ガイドピン            97  接触部
【図１】
0004337016.tif 000002
【図２】
0004337016.tif 000003
【図３】
0004337016.tif 000004
【図４】
0004337016.tif 000005
【図５】
0004337016.tif 000006
【図６】
0004337016.tif 000007
【図７】
0004337016.tif 000008
【図８】
0004337016.tif 000009
【図９】
0004337016.tif 000010
【図１０】
0004337016.tif 000011
【図１１】
0004337016.tif 000012
【図１２】
0004337016.tif 000013
【図１３】
0004337016.tif 000014
【図１４】
0004337016.tif 000015